(57)【要約】【課題】内容物の粉末を必要な量だけ容易に取り出せる袋を提供する。【解決手段】外装フィルム１同士を両側及び上端のシール部２，３で接着して封緘し、上端のシール部３より下方を開封用の切断位置として、その下方に外装フィルム１の内側で噛合する再封緘用ファスナー４を設けた袋において、前記外装フィルム１間に小さな開口部６を有する中間フィルム５を折り込み、この中間フィルム５の一側部を前記外装フィルム１の一方の内面に接着し、中間フィルム５の他側部両面に前記再封緘用ファスナー４に噛合する切替用ファスナー７を設け、このファスナー７をいずれの外装フィルム１側のファスナー４に噛合させるかによって開口サイズを切り替えられるようにする。【選択図】図３
2005255201.tif 000002
【特許請求の範囲】
【請求項１】
外装フィルム同士を両側及び上端のシール部で接着して封緘し、上端のシール部より下方を開封用の切断位置として、その下方に外装フィルムの内側で噛合する再封緘用ファスナーを設けた袋において、前記外装フィルム間に小さな開口部を有する中間フィルムを折り込み、この中間フィルムの一側部を前記外装フィルムの一方の内面に接着し、中間フィルムの他側部両面に前記再封緘用ファスナーに噛合する切替用ファスナーを設けたことを特徴とする開口サイズ切替袋。
【請求項２】
外装フィルム同士を両側及び上端のシール部で接着して封緘し、上端のシール部より下方を開封用の切断位置として、その下方に外装フィルムの内側で噛合する再封緘用ファスナーを設けた袋において、前記外装フィルムの切断による大きな開口部とは別に、キャップで開閉する小さな開口部を設けたことを特徴とする開口サイズ切替袋。
【発明の詳細な説明】
【技術分野】
【０００１】
この発明は、小麦粉やコーヒー、ココア、洗剤等の粉末を詰めるプラスチックフィルム製の袋に関するものである。
【背景技術】
【０００２】
従来、この種の袋として、図１０に示すように、外装フィルム１同士を両側及び上端のシール部２，３で接着して封緘し、上端のシール部３より下方の切断位置Ｃで外装フィルム１を切断すると開封され、その下方で外装フィルム１の内側に設けたファスナー４を噛合させると再封緘できるものが使用されている。
【発明の開示】
【発明が解決しようとする課題】
【０００３】
しかしながら、上記のような袋では、開封したとき、上端に大きな開口部のみが形成されるため、内容物の粉末をスプーンで大量に掬い出す場合にはよいが、少量だけ振り出すようなことはできず、不便さを感じることがあった。
【０００４】
そこで、この発明は、内容物の粉末を必要な量だけ容易に取り出せる袋を提供しようとするものである。
【課題を解決するための手段】
【０００５】
上記課題を解決するため、この発明は、外装フィルム同士を両側及び上端のシール部で接着して封緘し、上端のシール部より下方を開封用の切断位置として、その下方に外装フィルムの内側で噛合する再封緘用ファスナーを設けた袋において、前記外装フィルム間に小さな開口部を有する中間フィルムを折り込み、この中間フィルムの一側部を前記外装フィルムの一方の内面に接着し、中間フィルムの他側部両面に前記再封緘用ファスナーに噛合するファスナーを設け、中間フィルムのファスナーをいずれの外装フィルム側のファスナーに噛合させるかによって開口サイズを切り替えられるようにしたのである。
【０００６】
また、前記外装フィルムの切断による大きな開口部とは別に、キャップで開閉する小さな開口部を設け、取出量に応じて大小の開口部を選択できるようにしたのである。
【発明の効果】
【０００７】
上記のように、袋の開口サイズを切り替えられるようにすると、従来どおり大きく開口させ、その開口部から内容物の粉末をスプーン等で大量に掬い出すことができ、また、大きな開口部を閉じて小さな開口部を開口させ、袋を傾けて、小さな開口部から粉末を少量だけ振り出すこともできる。
【発明を実施するための最良の形態】
【０００８】
以下、この発明の実施形態を添付図面に基づいて説明する。
【０００９】
図１に示す第１実施形態の袋は、粉末製品を収納するスタンディングパウチであり、外装フィルム１同士を両側及び上端のシール部２，３で接着して封緘し、上端のシール部３より下方を開封用の切断位置Ｃとして、その下方に外装フィルム１の内側で噛合する再封緘用ファスナー４を設けたものとなっている。
【００１０】
前記外装フィルム１間には、図４に示すように、外装フィルム１の一方の延長部分である中間フィルム５が折り返して挟み込まれ、この中間フィルム５には、複数の小さな開口部６が形成されている。
【００１１】
この中間フィルム５の一側部は、外装フィルム１の一方の内面に接着され、中間フィルム５の他側部両面には、再封緘用ファスナー４に噛合する切替用ファスナー７が設けられている。これらのファスナー４，７は、突条部材と溝部材とが対になったものである。
【００１２】
なお、この実施形態では、一方の外装フィルム１側のファスナー４を中間フィルム５に設けたが、中間フィルム５を外装フィルム１とは別部材として、中間フィルム５の外装フィルム１との接着部を下方へ短縮し、ファスナー４を一方の外装フィルム１に直接設けるようにしてもよい。
【００１３】
上記のような袋では、切断位置Ｃで外装フィルム１を切断して開封し、図２及び図５に示すように、中間フィルム５を二つ折りにして、その一面のファスナー７を対向するファスナー４に噛合させ、他面のファスナー７を対向するファスナー４から離すと、従来と同様に、大きな開口部８が形成されるので、この開口部８からスプーンを差し入れて、内容物の粉末を大量に掬い出すことができる。
【００１４】
一方、図３及び図６に示すように、中間フィルム５の一面のファスナー７を対向するファスナー４から離し、中間フィルム５を他方の外装フィルム１の方向へ渡して、中間フィルム５の他面のファスナー７を対向するファスナー４に噛合させると、袋を傾けて、複数の小さな開口部６から内容物の粉末を少量ずつ振り出すことができる。
【００１５】
また、図７に示すように、中間フィルム５の両面のファスナー７を、それぞれ対向するファスナー４に噛合させると、袋の上端の切断部が完全に閉鎖されて、再封緘状態とすることができ、袋内への塵埃の侵入や、内容物の粉末の湿気を防止することができる。
【００１６】
なお、図８に示す第２実施形態のように、外装フィルム１の上部を広幅及び狭幅の二股状とし、外装フィルム１を広幅部で切断して形成される大きな開口部８とは別に、狭幅部にキャップ９で開閉する小さな開口部１０を設け、内容物の取出量に応じて開口部８，１０のいずれを開けるか選択できるようにしてもよい。
【００１７】
ここで、キャップ９は、図８（ａ）に示すねじ込み式のものでもよく、図８（ｂ）に示すヒンジ式のものであってもよい。
【００１８】
また、図９に示す第３実施形態のように、外装フィルム１の上角部の一方を傾斜させ、外装フィルム１を水平部で切断して形成される大きな開口部８とは別に、傾斜部にキャップ９で開閉する小さな開口部１０を設け、内容物の取出量に応じて開口部８，１０のいずれを開けるか選択できるようにしてもよい。
【図面の簡単な説明】
【００１９】
【図１】この発明の第１実施形態に係る開口サイズ切替袋の斜視図
【図２】同上の大きな開口部を形成した状態の斜視図
【図３】同上の小さな開口部から振り出せるようにした状態の斜視図
【図４】同上の封緘状態の上部断面図
【図５】同上の大きな開口部を形成した状態の上部断面図
【図６】同上の小さな開口部から振り出せるようにした状態の上部断面図
【図７】同上の再封緘状態を示す上部断面図
【図８】この発明の第２実施形態に係る開口サイズ切替袋の斜視図
【図９】この発明の第３実施形態に係る開口サイズ切替袋の斜視図
【図１０】従来の粉末を詰めたプラスチックフィルム袋の斜視図
【符号の説明】
【００２０】
１  外装フィルム
２  両側シール部
３  上端シール部
４  再封緘用ファスナー
５  中間フィルム
６  小さな開口部
７  切替用ファスナー
８  大きな開口部
９  キャップ
１０  小さな開口部
【図１】
2005255201.tif 000003
【図２】
2005255201.tif 000004
【図３】
2005255201.tif 000005
【図４】
2005255201.tif 000006
【図５】
2005255201.tif 000007
【図６】
2005255201.tif 000008
【図７】
2005255201.tif 000009
【図８】
2005255201.tif 000010
【図９】
2005255201.tif 000011
【図１０】
2005255201.tif 000012